(57)【要約】【課題】蓄電池の容量測定に要する時間を短くする。【解決手段】蓄電システムは、充放電を行う蓄電池と、太陽光発電パネルと、収集部と、計算部と、充放電制御部と、を具備する。収集部は、電力系統から供給される電力、蓄電池の充放電の電力及び太陽光発電パネルによって発電される電力のそれぞれについての、時間ごとの動作データを収集する。計算部は、容量測定に要する期間が短くなるように、容量測定のための放電を行う期間及び充電を行う期間を、動作データに基づいて計算する。充放電制御部は、放電を行う期間に放電し、充電を行う期間に充電するように、蓄電池を制御する。【選択図】図１
2019062615.tif 000002
【特許請求の範囲】
【請求項１】
電力の充電及び負荷への放電を行う蓄電池と；
太陽光発電を行う発電装置と；
電力系統から供給される電力、前記蓄電池の充放電の電力及び前記発電装置によって発電される電力のそれぞれについての、時間ごとの動作データを収集する収集部と；
前記蓄電池を完全放電させた後、満充電の状態になるまで充電することで電池容量の測定を行う容量測定に要する期間が短くなるように、前記容量測定のための放電を行う期間及び充電を行う期間を、前記動作データに基づいて計算する計算部と；
前記放電を行う期間に放電し、前記充電を行う期間に充電するように、前記蓄電池を制御する充放電制御部と；
を具備することを特徴とする蓄電システム。
【請求項２】
前記収集部は、天気情報をさらに収集し、
前記計算部は、前記天気情報から推定される前記発電装置の発電量及び前記動作データに基づいて前記放電を行う期間及び前記充電を行う期間の計算を行う
ことを特徴とする請求項１に記載の蓄電システム。
【請求項３】
前記計算部は、所定の期間に含まれる日のそれぞれを前記容量測定の開始日とした場合のそれぞれについて、前記容量測定に要する期間の長さの推定値を計算し、
前記充放電制御部は、前記所定の期間に含まれる日のうち前記推定値が最も小さくなる日に、前記容量測定のための放電が開始されるように前記蓄電池を制御する
ことを特徴とする請求項１又は２に記載の蓄電システム。
【発明の詳細な説明】
【技術分野】
【０００１】
本発明の実施形態は、蓄電システムに関する。
【背景技術】
【０００２】
リチウム二次電池等の蓄電池は、充放電の繰り返しにより劣化し、電池容量が減少していくことが知られている。また、家庭等で使用中の蓄電池の劣化状況を確認するための方法として、通常時の放電スケジュールに従って蓄電池を完全に放電（以下、完全放電）させた後、満充電の状態になるまで充電させ、電池容量を測定する方法が知られている。
【先行技術文献】
【非特許文献】
【０００３】
【非特許文献１】“定置式家庭用蓄電システム  総合カタログ  ２０１７−５”、［online］、東芝ライテック株式会社、２０１５年４月、［平成２９年９月１３日検索］、インターネット<http://www.tlt.co.jp/tlt/catalog/catalog_view/pdf/c4102.pdf>
【発明の概要】
【発明が解決しようとする課題】
【０００４】
しかしながら、従来の電池容量の測定方法には、測定に要する期間が長くなる場合があるという問題がある。近年、電気機器の省電力化、蓄電池の大容量化及び太陽光発電装置の普及等により、使用中の蓄電池を完全に放電させるのに要する期間が増加している。このため、通常時の放電スケジュールに従って蓄電池を完全に放電させる場合、放電が完了するまでに長い時間を要する場合がある。
【０００５】
本発明は、蓄電池の容量測定に要する時間を短くすることを目的とする。
【課題を解決するための手段】
【０００６】
本実施形態の蓄電システムは、電力の充電及び負荷への放電を行う蓄電池と、太陽光発電を行う発電装置と、収集部と、計算部と、充放電制御部と、を具備する。収集部は、電力系統から供給される電力、蓄電池の充放電の電力及び発電装置によって発電される電力のそれぞれについての、時間ごとの動作データを収集する。計算部は、蓄電池を完全放電させた後、満充電の状態になるまで充電することで電池容量の測定を行う容量測定に要する期間が短くなるように、容量測定のための放電を行う期間及び充電を行う期間を、動作データに基づいて計算する。充放電制御部は、放電を行う期間に放電し、充電を行う期間に充電するように、蓄電池を制御する。
【発明の効果】
【０００７】
本発明によれば、蓄電池の容量測定に要する時間を短くすることができる。
【図面の簡単な説明】
【０００８】
【図１】図１は、実施形態に係る蓄電システムの動作の一例を示す図である。
【図２】図２は、実施形態に係る蓄電システムにおける容量測定の一例を示す図である。
【図３】図３は、実施形態に係る蓄電システムにおける容量測定の一例を示す図である。
【図４】図４は、実施形態に係る蓄電システムにおける容量測定の一例を示す図である。
【図５】図５は、実施形態に係る制御装置の構成を示すブロック図である。
【図６】図６は、実施形態に係るサーバの構成を示すブロック図である。
【図７】図７は、実施形態に係る動作データ記憶部に記憶される情報の一例を示す図である。
【図８】図８は、実施形態に係る蓄電システムの計算部による計算の一例を示す図である。
【図９】図９は、実施形態に係る蓄電システムにおける蓄電池の制御処理の一例を示すフローチャートである。
【発明を実施するための形態】
【０００９】
以下で説明する実施形態に係る蓄電システム１は、電力の充電及び電気機器ＬＤへの放電を行う蓄電池ＢＴと、太陽光発電を行う太陽光パネルＰＮと、電力系統ＣＰから供給される電力、蓄電池ＢＴの充放電の電力及び太陽光パネルＰＮによって発電される電力のそれぞれについての、時間ごとの動作データを収集する収集部２３２と、蓄電池ＢＴを完全放電させた後、満充電の状態になるまで充電することで電池容量の測定を行う容量測定に要する期間が短くなるように、容量測定のための放電を行う期間及び充電を行う期間を、動作データに基づいて計算する計算部２３３と、放電を行う期間に放電し、充電を行う期間に充電するように、蓄電池ＢＴを制御する充放電制御部１３２と、を具備する。
【００１０】
また、以下で説明する実施形態に係る蓄電システム１において、収集部２３２は、天気情報をさらに収集する。計算部２３３は、天気情報から推定される太陽光パネルＰＮの発電量及び動作データに基づいて放電を行う期間及び充電を行う期間の計算を行う。
【００１１】
また、以下で説明する実施形態に係る蓄電システム１において、計算部２３３は、所定の期間に含まれる日のそれぞれを容量測定の開始日とした場合のそれぞれについて、容量測定に要する期間の長さの推定値を計算する。充放電制御部１３２は、所定の期間に含まれる日のうち推定値が最も小さくなる日に、容量測定のための放電が開始されるように蓄電池ＢＴを制御する。
【００１２】
［実施形態］
まず、本発明の実施形態に係る蓄電システム１の動作を、図１に基づいて説明する。図１は、実施形態に係る蓄電システムの動作の一例を示す図である。
【００１３】
図１の例では、蓄電システム１は、ユーザ（需要家）の住宅ＨＭに設けられ、蓄電池ＢＴを所定の電力系統ＣＰから供給される電力や太陽光パネルＰＮにより生成された電力により充電したり、蓄電池ＢＴを充電した電力を負荷である電気機器ＬＤ等に供給したりする。
【００１４】
［蓄電システム］
図１に示すように、蓄電システム１は、制御装置１００と、制御端末１０１と、蓄電池ＢＴと、蓄電池用分電盤ＶＤと、住宅用分電盤ＨＤと、スマートメータＭＴと、計測ユニットＭＵと、ホームゲートウェイＧＷと、太陽光パネルＰＮと、パワーコンディショナＰＣと、サーバ２００と、を具備する。ホームゲートウェイＧＷは、所定のネットワークＮＴを介してサーバ２００に接続可能である。例えば、図１において、各構成間を結ぶ実線は電気的な接続関係を示し、各構成間を結ぶ点線は情報の送受信が可能な接続関係を示す。
【００１５】
なお、蓄電システム１の各構成の接続関係は図１に示した接続関係に限らず、他の接続関係であってもよい。例えば、実線で結ばれた各構成間において情報の送受信が可能であってもよいし、点線で結ばれた各構成間において電気的な接続関係があってもよい。なお、図１に示す構成は一例であって、蓄電システム１は他の構成であってもよい。
【００１６】
制御装置１００は、蓄電システム１の各構成の動作を制御するために用いられる。例えば、制御装置１００は、種々の情報に基づいて蓄電池ＢＴの充放電を制御する。また、制御装置１００は、蓄電システム１における各種情報をユーザに通知したり、蓄電システム１に対するユーザの操作を受け付けたりするコントローラとしての機能を有してもよい。例えば、制御装置１００は、蓄電システム１に関する情報を表示する出力部を有してもよい。
【００１７】
制御端末１０１は、蓄電システム１の各構成から取得した各種情報を表示したりするために用いられる。制御端末１０１は、ユーザに利用される情報処理装置である。制御端末１０１は、ユーザが利用可能な情報処理装置であればどのような情報処理装置であってもよく、例えば、スマートフォンや、タブレット型端末や、ノート型ＰＣ（Personal  Computer）や、携帯電話機や、ＰＤＡ（Personal  Digital  Assistant）等により実現される。なお、制御端末１０１は、蓄電システム１の専用端末（装置）であってもよい。また、制御端末１０１は、ホームゲートウェイＧＷやサーバ２００と通信可能である。例えば、制御端末１０１は、ホームゲートウェイＧＷを介して、又は直接サーバ２００と通信可能である。
【００１８】
蓄電池ＢＴは、住宅ＨＭで用いられる二次電池（バッテリ）である。例えば、蓄電池ＢＴは、電力系統ＣＰから供給される電力や太陽光パネルＰＮにより生成された電力により充電される。また、例えば、蓄電池ＢＴは、蓄えた電力を蓄電池用分電盤ＶＤや住宅用分電盤ＨＤを経由して住宅ＨＭ内の電気機器ＬＤに供給する。例えば、蓄電池ＢＴは、蓄電池用分電盤ＶＤを経由して電気機器ＬＤのうち選定負荷ＳＬに電力を供給する。
【００１９】
また、例えば、蓄電池ＢＴは、住宅用分電盤ＨＤを経由して電気機器ＬＤのうち一般負荷ＮＬに電力を供給する。例えば、蓄電池ＢＴは、停電時においては、蓄電池用分電盤ＶＤを経由して選定負荷ＳＬのみに電力を供給する。また、蓄電池ＢＴはＣＴ（Current  Transformer）等により電力系統ＣＰの供給電力を計測し、その情報を制御装置１００に送信する。
【００２０】
なお、蓄電池ＢＴは、充電を行うことにより電気を蓄えることができ、繰り返し充放電して使用することができる電池であればどのような電池であってもよい。例えば、蓄電池ＢＴとしては、リチウムイオン電池や鉛電池やニッケル水素電池等、目的に応じて種々の蓄電池が適宜選択されてもよい。また、蓄電池ＢＴは、電力を蓄える機能を有すればどのような構成であってもよく、例えば、電気自動車やプラグインハイブリッド自動車等であってもよい。
【００２１】
また、蓄電池ＢＴは、パワーコンディショナＰＣ１０を有してもよい。パワーコンディショナＰＣ１０は、蓄電池ＢＴが供給する電力を、住宅ＨＭ内の電気機器ＬＤ等で利用可能にする。例えば、パワーコンディショナＰＣ１０は、蓄電池ＢＴから放電される直流電力を交流電力に変換する。また、例えば、パワーコンディショナＰＣ１０は、交流電力に変換した後、電力を住宅ＨＭ内での利用や、電力系統ＣＰへの売電等に対応する出力に調整する。
【００２２】
蓄電池用分電盤ＶＤ及び住宅用分電盤ＨＤは、住宅ＨＭの配線に電気を分ける装置である。例えば、蓄電池用分電盤ＶＤ及び住宅用分電盤ＨＤは、漏電遮断器や配線用遮断器等の種々の機器を含む。例えば、蓄電池用分電盤ＶＤは、電力系統ＣＰや蓄電池ＢＴから供給される電力を住宅ＨＭの選定負荷ＳＬに供給したりする。また、例えば、住宅用分電盤ＨＤは、電力系統ＣＰや蓄電池ＢＴから供給される電力を住宅ＨＭの一般負荷ＮＬに供給したりする。
【００２３】
スマートメータＭＴは、電力系統ＣＰから供給された電力、すなわち電力系統ＣＰから買電した電力や、電力系統ＣＰ側へ供給した電力、すなわち売電した電力を計量するメータである。すなわち、スマートメータＭＴは、電力系統ＣＰの供給電力に関する情報を保持し、制御端末１０１と通信可能な情報保持部として機能する。例えば、スマートメータＭＴは、売電した電力を計量するメータと、買電した電力を計量するメータとを各々含んでもよい。例えば、スマートメータＭＴは、住宅用分電盤ＨＤと電力系統ＣＰとの間に設けられ、売電した電力を計量したり、買電した電力を計量したりする。また、スマートメータＭＴは、ホームゲートウェイＧＷを介して制御端末１０１に各情報を送信可能である。
【００２４】
計測ユニットＭＵは、蓄電システム１における各位置の電力等を計測するユニットである。例えば、計測ユニットＭＵは、例えばＣＴ（Current  Transformer）等により住宅用分電盤ＨＤに接続され、住宅用分電盤ＨＤを経由して供給される電力を計測する。また、計測ユニットＭＵは、ホームゲートウェイＧＷを介して制御端末１０１に各情報を送信可能である。なお、計測ユニットＭＵは、住宅用分電盤ＨＤに配置されてもよい。
【００２５】
ホームゲートウェイＧＷは、ネットワークＮＴと住宅ＨＭ内のネットワーク、すなわち蓄電システム１のネットワークとの間の情報の送受信を可能にするネットワーク機器である。なお、ホームゲートウェイＧＷとネットワークＮＴとの間に、所定の中継機器（例えばブロードバンドルータ）等が設けられる場合があるが、図１においては説明を省略する。また、ホームゲートウェイＧＷは、蓄電システム１の各構成間の情報の送受信を可能にする。例えば、ホームゲートウェイＧＷは、制御端末１０１とサーバ２００との間の情報の送受信を可能にする。
【００２６】
太陽光パネルＰＮは、例えば、太陽電池素子（セル）を必要枚数配列し、樹脂や強化ガラス等によりパッケージ化した太陽電池モジュールであり、ソーラーパネルとも呼ばれる。なお、太陽光パネルＰＮに用いられるセルは、どのようなセルであってもよい。例えば、太陽光パネルＰＮに用いられるセルは、シリコン系のセルや化合物系のセルや有機系のセル等、目的に応じて種々のセルが適宜選択されてもよい。
【００２７】
パワーコンディショナＰＣは、パワコン、ＰＣＳ（Power  Conditioning  System）とも称される装置であって、太陽光パネルＰＮから接続箱（図示せず）を経由して送信される電力を、住宅ＨＭ内の電気機器ＬＤ等で利用可能にする装置である。例えば、パワーコンディショナＰＣは、太陽光パネルＰＮから接続箱を経由して送信される直流電力を交流電力に変換する。また、例えば、パワーコンディショナＰＣは、交流電力に変換した後、電力を住宅ＨＭ内での利用や、蓄電池ＢＴへの充電や、電力系統ＣＰへの売電等に対応する出力に調整する。例えば、パワーコンディショナＰＣは、ホームゲートウェイＧＷと通信可能である。また、例えば、パワーコンディショナＰＣは、ホームゲートウェイＧＷを介して制御装置１００や制御端末１０１と通信可能である。
【００２８】
［蓄電池の容量測定］
蓄電システム１において、蓄電池ＢＴの充放電が繰り返し行われる。また、蓄電池ＢＴは、充放電の繰り返しにより劣化し、電池容量が減少していく。そこで、定期的に蓄電池ＢＴの劣化状況の確認が行われる。前述の通り、蓄電池ＢＴの劣化状況の確認方法としては、蓄電池ＢＴを完全放電させた後、満充電の状態になるまで充電することで電池容量の測定する方法がある。
【００２９】
ここで、図２から４を用いて、実施形態に係る蓄電システムにおける容量測定について説明する。図２から４は、それぞれ実施形態に係る蓄電システムにおける容量測定の一例を示す図である。
【００３０】
電力系統から供給される電力の料金は、深夜に低額になる場合がある。このため、蓄電池ＢＴには、午前０時から午前７時の間に充電を行い、午前７時から翌日の午前０時の間に放電を行うという充放電スケジュールが設定される場合がある。
【００３１】
このとき、図２に示すように、スケジュール上充電が予定されている時間帯の充電を中止し、待機とすることで、蓄電池ＢＴは充電されることなく放電を続けるため、最終的に完全放電することになる。
【００３２】
図２の例では、蓄電池ＢＴは、第１日目から第４日目にかけて、毎日午前７時から翌日の午前０時の間に２ｋＷｈずつの放電を行い、第５日目の午前０時に完全放電する。そして、第５日目の午前０時から蓄電池ＢＴの充電を開始することにより、容量測定を行うことが可能となる。なお、図２から４の例では、蓄電池ＢＴは、完全放電のために８ｋＷｈの放電を行うこととする。
【００３３】
ここで、電気機器ＬＤの省電力化、蓄電池ＢＴの大容量化、太陽パネルＰＮからの電力の供給等により、蓄電池ＢＴの充電を中止したとしても、蓄電池ＢＴが完全放電するのに長い期間を要する場合がある。このため、図３に示すように、スケジュール上充電が予定されている時間帯に放電を行うことで、蓄電池ＢＴが完全放電するまでの時間を短縮することができる。
【００３４】
図３の例では、蓄電池ＢＴは、第１日目から第２日目にかけて、毎日午前０時から午前７時の間に１ｋＷｈずつの放電を行い、第１日目の午前７時から翌日の午前０時の間及び第２日目の午前７時から翌日の午前０時の間にそれぞれ２ｋＷｈずつの放電を行い、第３日目の午前７時から翌日の午前０時の間に１ｋＷｈの放電を行い、第４日目の午前０時に完全に放電する。
【００３５】
図２の例では完全放電に要する時間が４日間であるのに対し、図３の例では完全放電に要する時間は３日間である。このように、スケジュール上充電が予定されている時間帯に放電を行うことで、蓄電池ＢＴが完全放電するまでの時間を短縮することができる。
【００３６】
さらに、様々な条件により各日の蓄電池ＢＴの放電量は変化する。このため、特に蓄電池ＢＴの放電量が多い日に合わせて容量測定を行うことで、蓄電池ＢＴが完全放電するまでの時間をさらに短縮することができる。図４に示すように、午前０時から午前７時の間に蓄電池ＢＴが２ｋＷｈの放電を行う日が連続する期間に蓄電池ＢＴの放電を行うことで、図３の例と比べて完全放電するまでの時間をさらに短縮することができる。
【００３７】
図４の例では、蓄電池ＢＴは、第１日目から第２日目にかけて、毎日午前０時から午前７時の間に２ｋＷｈずつの放電を行い、午前７時から翌日の午前０時の間に２ｋＷｈずつの放電を行い、第３日目の午前０時に完全に放電する。
【００３８】
図３の例では完全放電に要する時間が３日間であるのに対し、図４の例では完全放電に要する時間は２日間である。このように、特に蓄電池ＢＴの放電量が多い日に合わせて容量測定を行うことで、蓄電池ＢＴが完全放電するまでの時間を短縮することができる。
【００３９】
本実施形態の蓄電システム１は、蓄電池ＢＴの容量測定に要する時間を短縮するために、あらかじめ設定された充放電のスケジュールにかかわらず蓄電池ＢＴの充電及び放電が行えるようにした上で、特に蓄電池ＢＴの放電量が多い日に合わせて容量測定を行うものである。
【００４０】
［制御装置の構成例］
次に、図５を用いて、実施形態に係る制御装置１００の構成について説明する。図５は、実施形態に係る制御装置の構成を示すブロック図である。なお、図５には、実施形態に係る制御装置１００の構成のうち、蓄電池ＢＴの充放電の制御に必要な構成のみを図示し、他の制御装置１００の構成については図示を省略する。図５に示すように、制御装置１００は、通信部１１０と、記憶部１２０と、制御部１３０とを有する。
【００４１】
通信部１１０は、例えば、所定の通信回路等によって実現される。例えば、通信部１１０は、蓄電池ＢＴ等の蓄電システム１の他の構成と通信可能である。
【００４２】
記憶部１２０は、例えば、ＲＡＭ（Random  Access  Memory）、フラッシュメモリ（Flash  Memory）等の半導体メモリ素子、又は、ハードディスク、光ディスク等の記憶装置によって実現される。実施形態に係る記憶部１２０は、図５に示すように、充放電スケジュール記憶部１２１を有する。
【００４３】
充放電スケジュール記憶部１２１は、蓄電池ＢＴの充放電スケジュールを記憶する。例えば、充放電スケジュール記憶部１２１は、充放電スケジュールとして、放電開始日時及び充電開始日時を記憶する。
【００４４】
制御部１３０は、各種の処理手順等を規定したプログラム及び所要データを格納するための内部メモリを有し、これらによって種々の処理を実行するが、特に本発明に密接に関連するものとしては、受信部１３１、充放電制御部１３２、及び送信部１３３を有する。
【００４５】
受信部１３１は、外部装置から各種情報を受信する。例えば、受信部１３１は、蓄電システム１の各構成から各種情報を受信する。具体的には、受信部１３１は、蓄電池ＢＴから残量等の各種情報を受信する。また、例えば、受信部１３１は、ホームゲートウェイＧＷを介して蓄電システム１外のサーバ２００等の情報処理装置から各種情報を受信する。具体的には、受信部１３１は、サーバ２００から充放電スケジュールを受信する。また、受信部１３１は、受信した充放電スケジュールを充放電スケジュール記憶部１２１に格納する。
【００４６】
充放電制御部１３２は、充放電スケジュール記憶部１２１に記憶された充放電スケジュールに従って蓄電池ＢＴの充放電制御を行う。充放電制御部１３２は、充放電スケジュールが示す放電開始日時以降、充電を行わないように蓄電池ＢＴを制御する。また、充放電制御部１３２は、充放電スケジュールが示す充電開始日時に、充電を開始するように蓄電池ＢＴを制御する。なお、放電開始日時及び充電開始日時は、それぞれ蓄電システム１によって計算された期間に容量測定を行うための放電を開始する日時及び充電を開始する日時である。
【００４７】
送信部１３３は、外部装置に各種情報を送信する。例えば、送信部１３３は、蓄電システム１の各構成へ各種情報を送信する。具体的には、送信部１３３は、蓄電池ＢＴへ充放電を制御する制御情報等の各種情報を送信する。例えば、送信部１３３は、充放電制御部１３２により生成された制御情報を蓄電池ＢＴへ送信する。また、例えば、送信部１３３は、ホームゲートウェイＧＷを介して蓄電システム１外のサーバ２００等の情報処理装置へ各種情報を送信する。
【００４８】
［サーバの構成例］
次に、図６を用いて、実施形態に係るサーバ２００の構成について説明する。図６は、実施形態に係るサーバの構成を示すブロック図である。なお、図６には、実施形態に係るサーバ２００の構成のうち、蓄電池ＢＴの充放電の制御に必要な構成のみを図示し、他のサーバ２００の構成については図示を省略する。図６に示すように、サーバ２００は、通信部２１０と、記憶部２２０と、制御部２３０とを有する。
【００４９】
通信部２１０は、例えば、所定の通信回路等によって実現される。例えば、通信部２１０は、制御装置１００等の蓄電システム１の他の構成と通信可能である。
【００５０】
記憶部２２０は、例えば、ＲＡＭ、フラッシュメモリ等の半導体メモリ素子、又は、ハードディスク、光ディスク等の記憶装置によって実現される。実施形態に係る記憶部２２０は、図６に示すように、動作データ記憶部２２１及び天気情報記憶部２２２を有する。
【００５１】
動作データ記憶部２２１は、電力系統ＣＰから供給される電力、蓄電池ＢＴの充放電の電力及び太陽光パネルＰＮによって発電される電力のそれぞれについての、時間ごとの動作データを記憶する。
【００５２】
図７を用いて、動作データ記憶部２２１に記憶される情報について説明する。図７は、実施形態に係る動作データ記憶部に記憶される情報の一例を示す図である。図７に示すように、動作データ記憶部２２１は、日付及び日付ごとの曜日を記憶する。また、動作データ記憶部２２１は、各日付で示される日の時刻ごとの系統電力、充放電電力、ＰＶ（Photovoltaic）発電電力を記憶する。
【００５３】
ここで、動作データ記憶部２２１の系統電力は、電力系統ＣＰから供給される電力である。また、動作データ記憶部２２１の充放電電力は、蓄電池ＢＴに充電される電力、又は蓄電池ＢＴが放電する電力である。動作データ記憶部２２１のＰＶ発電電力は、太陽光パネルＰＮによって発電される電力である。
【００５４】
例えば、図７に示すように、「２０１６／１０／１」は土曜日であり、０：００における系統電力は１．０ｋＷ、充電電力は０．６ｋＷ、ＰＶ発電電力は０ｋＷである。また、例えば、図７に示すように、「２０１６／１０／３」は月曜日であり、１２：００における系統電力は０ｋＷ、放電電力は０．３ｋＷ、ＰＶ発電電力は１．１ｋＷである。
【００５５】
制御部２３０は、各種の処理手順等を規定したプログラム及び所要データを格納するための内部メモリを有し、これらによって種々の処理を実行するが、特に本発明に密接に関連するものとしては、受信部２３１、収集部２３２、計算部２３３、及び送信部２３４を有する。
【００５６】
受信部２３１は、外部装置から各種情報を受信する。例えば、受信部２３１は、蓄電システム１の各構成から各種情報を受信する。具体的には、受信部２３１は、ホームゲートウェイＧＷから動作データを受信する。
【００５７】
収集部２３２は、受信部２３１を介して、電力系統ＣＰから供給される電力、蓄電池ＢＴの充放電の電力及び太陽光パネルＰＮによって発電される電力のそれぞれについての、時間ごとの動作データを収集する。また、収集部２３２は、収集した動作データを動作データ記憶部２２１に格納する。
【００５８】
計算部２３３は、容量測定に要する期間が短くなるように、容量測定のための放電を行う期間及び充電を行う期間を、動作データ記憶部２２１に記憶された動作データに基づいて計算する。
【００５９】
本実施形態では、計算部２３３は、所定の期間に含まれる日のそれぞれを容量測定の開始日とした場合のそれぞれについて、容量測定に要する期間の長さの推定値を計算する。
このとき、計算部２３３は、所定の期間に含まれる日のうち、計算した推定値が最も小さくなる日を放電を行う期間の開始日（放電開始日と同意）とする。そして、制御装置１００の充放電制御部１３２は、計算部２３３の計算結果に従って、所定の期間に含まれる日のうち、推定値が最も小さくなる日に、容量測定のための放電が開始されるように蓄電池ＢＴを制御する。
【００６０】
ここで、図８を用いて、計算部２３３による計算について説明する。図８は、実施形態に係る蓄電システムの計算部による計算の一例を示す図である。図８の例では、計算対象となる所定の期間として、「２０１７／１０／１」から「２０１７／１０／３１」が設定されているものとする。
【００６１】
このとき、計算部２３３は、まず、「２０１７／１０／１」から「２０１７／１０／３１」までの各日ごとの０時から７時（０：００−７：００）及び７時から２４時（７：００−２４：００）のそれぞれにおける予想放電量を計算する。予想放電量は、放電量の推定値である。
【００６２】
例えば、計算部２３３は、「２０１７／１０／１」の１年前である「２０１６／１０／１」の動作データの各電力から「２０１７／１０／１」の予想放電量を計算することができる。また、計算部２３３は、曜日の影響を考慮して、「２０１６／１０」の第１月曜日である「２０１６／１０／３」の動作データの各電力から「２０１７／１０」の第１月曜日である「２０１７／１０／２」の予想放電量を計算することができる。また、計算部２３３は、所定の期間に含まれる各日と１対１に対応する日付の動作データではなく、連続する複数の日付の動作データを基に計算を行ってもよい。
【００６３】
また、計算部２３３は、多変数を入力とする回帰分析等の統計的予測手法を用いて計算を行ってもよい。このとき、計算部２３３は、動作データの日付、曜日、動作データの各電力を入力変数とすることができる。
【００６４】
また、計算部２３３は、動作データに加えて、天気情報に基づいて予想放電量を計算することができる。この場合、収集部２３２は、「２０１７／１０」の期間の天気予報等から天気情報をあらかじめ収集し、天気情報記憶部２２２に格納しておく。天気情報は、例えば、晴れ、曇り、雨等の天気の区分や、日照量等である。天気は、特に、太陽光パネルＰＮの発電量に影響を与えることが考えらえる。このため、計算部２３３は、天気情報から推定される太陽光パネルＰＮの発電量及び動作データに基づいて放電を行う期間及び充電を行う期間の計算を行うことで、予想放電量の計算精度を向上させることができる。
【００６５】
計算部２３３は、計算した予想放電量に基づいて、容量測定に要する期間の長さを計算する。例えば、計算部２３３は、各日を起点とする予想放電量の累積値を計算する。そして、累積値が所定の閾値を超えるまでの日数を、各日の予想放電完了日数とすることができる。
【００６６】
ここで、閾値は、例えば、蓄電池ＢＴの出荷時の容量とすることができる。また、予想放電完了日数は、その日に蓄電池ＢＴの放電を開始した場合の、完全放電までに要する日数の予想値である。予想放電完了日数が小さいほど、容量測定に要する期間の長さは短くなると考えらえる。
【００６７】
図８には、閾値を７．４ｋＷｈとした場合の、計算部２３３による予想放電完了日数の計算結果の例が示されている。図８に示すように、「２０１７／１０／１」を放電開始日とした場合、第１日目までの放電電量の累積値が０．７＋２．２＝２．９、第２日目までの放電電量の累積値が２．９＋（０．２＋１．１）＝４．２、第３日目までの放電電量の累積値が４．２＋（０．４＋１．８）＝６．４、第４日目の放電電量が６．４＋（０．８＋１．１）＝８．３であり、第４日目に累積値が閾値である７．４ｋＷｈを超える。このため、計算部２３３は、「２０１７／１０／１」を放電開始日とした場合の予想放電完了日数を４日と計算する。
【００６８】
同様に、計算部２３３は、「２０１７／１０／２」を放電開始日とした場合の予想放電完了日数を５日と計算する。また、計算部２３３は、「２０１７／１０／２１」を放電開始日とした場合の予想放電完了日数は２日と計算する。なお、充電に要する日数は１日以内である場合が多いため、計算部２３３は、予想放電完了日数に１を加えた日数を容量測定全体に要する期間の長さとすることができる。
【００６９】
ここで、図８に示すように、「２０１７／１０」に含まれる日のうち、予想放電完了日数が最も小さいのは「２０１７／１０／２１」である。このため、計算部２３３は、「２０１７／１０／２１」を放電開始日とする。また、この場合、「２０１７／１０／２２」には放電が完了することが予想されるため、計算部２３３は、「２０１７／１０／２３」を充電開始日とする。そして、計算部２３３は、放電開始日と充電開始日を含んだ充放電スケジュールを作成する。これにより、本実施形態によれば、容量測定に要する期間が最も短くなる開始日を選択することができる。
【００７０】
また、計算部２３３は、天気情報記憶部２２２に記憶された天気情報を基に、晴れと予想されている日が容量測定期間に含まれないように放電開始日及び充電開始日を決定してもよい。
【００７１】
送信部２３４は、外部装置に各種情報を送信する。例えば、送信部２３４は、蓄電システム１の各構成へ各種情報を送信する。具体的には、送信部２３４は、ホームゲートウェイＧＷを介して、制御装置１００へ放電開始日及び充電開始日を含んだ充放電スケジュールを送信する。
【００７２】
［判定処理のフロー］
次に、蓄電システム１における蓄電池ＢＴの制御処理の流れについて説明する。図９は、実施形態に係る蓄電システムにおける蓄電池の制御処理の一例を示すフローチャートである。
【００７３】
図９に示すように、まず、サーバ２００の収集部２３２は、蓄電システム１の動作データを収集する（ステップＳ１０１）。次に、計算部２３３は、収集部２３２が収集した動作データに基づいて、所定期間の各日ごとの蓄電池ＢＴの放電量の予想値を計算する（ステップＳ１０２）。
【００７４】
ここで、計算部２３３は、計算した予想値に基づいて充放電スケジュールを作成する（ステップＳ１０３）。このとき、計算部２３３は、容量測定期間が最も短くなるように充放電スケジュールを作成することができる。充放電スケジュールには、放電開始日及び充電開始日が含まれる。制御装置１００の充放電制御部１３２は、充放電スケジュールに従って蓄電池ＢＴを制御する（ステップＳ１０４）。
【００７５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００７６】
１        蓄電システム
１００    制御装置
１１０、２１０    通信部
１２０、２２０    記憶部
１２１    充放電スケジュール記憶部
１３０、２３０    制御部
１３１、２３１    受信部
１３２    充放電制御部
１３３、２３４    送信部
２００    サーバ
２２１  動作データ記憶部
２２２  天気情報記憶部
２３２    収集部
２３３    計算部
ＢＴ      蓄電池
ＬＤ      電気機器
【図１】
2019062615.tif 000003
【図２】
2019062615.tif 000004
【図３】
2019062615.tif 000005
【図４】
2019062615.tif 000006
【図５】
2019062615.tif 000007
【図６】
2019062615.tif 000008
【図７】
2019062615.tif 000009
【図８】
2019062615.tif 000010
【図９】
2019062615.tif 000011